(57)【要約】【課題】より柔らかな風合いの多重織物を提供することを目的とする。【解決手段】少なくとも第１の織組織と第２の織組織を備えた多重織物である。第１の織組織の経糸１３，１４及び緯糸１１，１２と、第２の織組織の経糸２３，２４及び緯糸２１，２２とが、表裏交替するものである。これら第１，第２の織組織により多重織物の表側層または裏側層が構成される。第１の織組織の経糸１３，１４及び／または緯糸１１，１２に無撚糸を用い、第２の織組織を構成する経糸２３，２４及び緯糸２１，２２に撚糸を用いる。【選択図】図１
0003154736.tif 000002
【実用新案登録請求の範囲】
【請求項１】
少なくとも第１の織組織と第２の織組織を備えた多重織物において、
前記第１の織組織の経糸及び緯糸と、前記第２の織組織の経糸及び緯糸とが、表裏の織模様設計に対応して表裏交替することにより前記多重織物の表側模様層と裏側模様層が構成され、
前記第１の織組織を構成する経糸及び／または緯糸に無撚糸を用い、
前記第２の織組織を構成する経糸及び緯糸に撚糸を用いることを特徴とする多重織物。
【請求項２】
前記第１，第２の織組織を構成する経糸及び緯糸がいずれも綿糸である請求項１に記載の多重織物。
【請求項３】
前記第１の織組織と前記第２の織組織の間に、フィラメントの嵩高糸が縦方向または横方向に挿通された請求項１または２に記載の多重織物。
【考案の詳細な説明】
【技術分野】
【０００１】
本考案は、二重織物や三重織物など、単位織組織を複数層備えた多重織物に関するものである。
【背景技術】
【０００２】
従来より単位織組織を複数層備えた多重織物が知られている。ここで、単位織組織とは、１組の経糸・緯糸をもって形成された単層の織組織を意味する。
【０００３】
多重織物においては、各層の織組織（単位織組織）をつなげるため、経糸や緯糸を接結させるのが一般的である。具体的には、(1)二重織物において、表側織組織と裏側織組織の経糸および緯糸を任意の箇所で表裏交替して接結する方法（風通織）、(2)表側織組織の経糸を裏側織組織の緯糸に所々で接結する（または表側織組織の緯糸を裏側織組織の経糸に所々で接結する）方法、(3)１本の緯糸を２往復させて１つ環状を形成させる方法（袋織）などが知られている。
【０００４】
ところで寝具カバーやタオル、乳幼児用の衣類等としては柔らかい織物が要望されており、この要望に応えたものとして多重のガーゼ織物が知られている。ガーゼ織物は織り目が粗いので、比較的柔らかな風合いを呈する。
【０００５】
この他、柔らかな風合いの多重織物として、例えば特許文献１には、二重織物の表側面に無撚糸からなる浮き糸を配置したものが提案されている。この特許文献１の織物は、基本部分である二重織物に通常の紡績糸を用い、この表側面に配した無撚糸の浮き糸によって、柔らかさやボリューム感を発揮させるようにしている。この特許文献１のものでは、浮き糸の配置を変えることで、様々な模様を表すこともできる。
【先行技術文献】
【特許文献】
【０００６】
【特許文献１】特開２００３−３０１３４７号公報
【考案の概要】
【考案が解決しようとする課題】
【０００７】
上述の様に比較的柔らかな風合いの織物が知られているが、さらに柔らかな風合いの織物が求められている。
【０００８】
そこで本考案においては、より柔らかな風合いの多重織物を提供することを目的とする。
【課題を解決するための手段】
【０００９】
本考案に係る多重織物は、少なくとも第１の織組織と第２の織組織を備えた多重織物において、前記第１の織組織の経糸及び緯糸と、前記第２の織組織の経糸及び緯糸とが、表裏の織模様設計に対応して表裏交替することにより前記多重織物の表側模様層と裏側模様層が構成され、前記第１の織組織を構成する経糸及び／または緯糸に無撚糸を用い、前記第２の織組織を構成する経糸及び緯糸に撚糸を用いることを特徴とする。
【００１０】
上記「無撚糸」とは、撚のかかっていない（或いは撚のあまりかかっていない）紡績糸のことである。無撚糸は、無撚糸本体に一旦、水等の溶媒に溶解するフィラメント（以下、溶解性フィラメントと称することがある）を巻き付け、この巻付け糸を用いて製織した後、上記溶媒により溶解性フィラメントを溶解、除去することにより得られる。具体例を挙げて説明すると、まず撚られた通常の単糸と水溶性ビニロンフィラメントを合わせ、該単糸の撚と反対方向に撚りをかけて双糸とする。この際、反対方向の撚りがかけられることから上記単糸の撚が解かれる。またこの双糸は、撚の解かれた単糸を芯とし、これに水溶性ビニロンフィラメントが巻き付いたようになる。次いで、この双糸（巻付け糸）を用いて製織する。その後、熱湯により上記水溶性ビニロンフィラメントを溶かして除き、無撚糸製の織物とする。
【００１１】
以下、本考案の多重織物について、第１の織組織の経糸及び緯糸の両方に無撚糸を用いた二重織物を例にとり、その製造方法に沿って説明する。
【００１２】
まず第１の織組織の経糸及び緯糸に上記巻付け糸（無撚糸本体に溶解性フィラメントを巻き付けた糸）を用い、第２の織組織の経糸及び緯糸に撚糸を用いて、風通織をする。製織直後の二重織物は、第１の織組織の糸と第２の織組織の糸が所々で表裏交替したものとなっており、その表裏面の状態は全体としてスムースである。
【００１３】
次いで第１の織組織の巻付け糸における溶解性フィラメントを溶媒によって溶解、除去する。
【００１４】
上記巻付け糸の状態に比べ、溶解性フィラメントを除去した後の無撚糸は、ふんわりと柔らかくなることに加えて、やや伸びたようになる。このため、無撚糸の織部分が、撚糸の織部分に比べて伸びて余ったようになる。即ち第１の織組織の部分が第２の織組織の部分よりも伸びて余ったようになる。表側に表れた第１の織組織の部分の裏側には第２の織組織が存在すること、また第１の織組織の部分が接結箇所で第２の織組織により囲まれることから、第１の織組織が第２の織組織によって支えられ、第１の織組織の部分では上記伸びた分だけふんわりと浮き上がるようになる。これにより二重織物が全体として従来の織物に比べ柔らかな風合いとなる。
【００１５】
上記第１の織組織の無撚糸の太さとしては１５〜４０番手が好ましい。第２の織組織の撚糸の太さとしては１５〜４０番手が好ましく、撚り係数としては２〜４が好ましい。
【００１６】
なお三重以上の多重織物（三重織物や四重織物など）の場合には、上記第１の織組織と上記第２の織組織が多重織物の表側層と裏側層になるように構成し、他の層をこれら第１，第２の織組織の間に配置する。
【００１７】
第１の織組織の糸としては、上記の様に経糸及び緯糸の両方に無撚糸を用いることがより好ましいが、経糸または緯糸の一方に無撚糸を用いたものであっても良く、この様に一方に無撚糸を用いればある程度柔らかな風合いを呈する。
【００１８】
本考案においては、前記第１，第２の織組織を構成する経糸及び緯糸がいずれも綿糸であることが好ましい。綿糸は肌触り感に優れることから、第１，第２の織組織の両方に綿糸を用いることにより、多重織物が肌触りの優れたものとなる。
【００１９】
本考案の多重織物は、前記第１の織組織と前記第２の織組織の間に、フィラメントの嵩高糸が縦方向または横方向に挿通されたものであることが好ましい。これにより多重織物が膨れ、嵩高く軽いものとなる。
【００２０】
上記嵩高糸は、多重織物における織組織に織り込まずに、挿通するだけとする。織り込んだ場合は、上記嵩高糸が締め付けられるようになって、嵩高糸自身のもつ膨れた風合いが損なわれる虞があるが、挿通するだけの形態であればこの虞が殆どなく、嵩高糸の風合いが保たれるからである。
【００２１】
また織り込まなくても、該嵩高糸は第１の織組織の経／緯糸と第２の織組織の経／緯糸とが表裏交替する接結箇所で、第１，第２の織組織に留められるようになるので、容易に移動することがなく、多重織物内に固定される。殊に本考案では、ステープル（短繊維）の嵩高糸ではなく、フィラメント（長繊維）の嵩高糸を用いているので、１本のフィラメントがその長さに亘って複数箇所の接結箇所で留められることになり、しっかりと固定される。
【００２２】
因みに、多重織物の中間層に熱収縮性の糸を配置して、この収縮により嵩高な風合いを与えることも可能である。しかしこの場合は、製造に際し、熱収縮性糸の加熱程度の調整が難しく、加熱しすぎた場合には過度に縮む。この点、上記の如く嵩高糸を挿通したものであれば、微妙な加熱調整が不要であり、所望の嵩高感を呈する多重織物を安定して製造することができる。
【００２３】
上記嵩高糸としては、バルキーヤーンやテクスチャードヤーンが挙げられ、より具体的にはポリエステルフィラメント糸の仮撚法による仮撚り加工糸等が挙げられる。また上記嵩高糸の太さとしては、３００〜２１００dtexが推奨される。
【考案の効果】
【００２４】
本考案に係る多重織物によれば、柔らかな風合いを呈し、肌に心地よい織物が得られる。従って柔らかな風合いのガーゼタオルやハンカチ、ベビー服、乳幼児衣料関連商品、寝具用のカバー、または夏用肌布団等に用いる織物として好適である。
【図面の簡単な説明】
【００２５】
【図１】本考案の実施形態１に係る多重織物の一部を表す断面図である。
【図２】本考案の実施形態２に係る多重織物の一部を表す断面図である。
【考案を実施するための形態】
【００２６】
＜実施形態１＞
図１は本考案の実施形態１に係る多重織物の一部を表す断面図である。なお図において、糸の配置を分かり易くするため、実線、破線、一点鎖線、二点鎖線を用いて緯糸を表している。また便宜上、図の上方を表側、下方を裏側として以下、説明する。
【００２７】
本実施形態１は二重織物であって、第１の織組織と第２の織組織により構成される。第１の織組織は緯糸１１，１２と経糸１３，１４による平織組織となっており、第２の織組織は緯糸２１，２２と経糸２３，２４による平織組織となっている。
【００２８】
第１織組織の緯糸１１，１２と第２織組織の緯糸２１，２２は、図に示すように接結箇所α，βにおいて表裏交替している。また経糸についても第１織組織の経糸１３，１４と第２織組織の経糸２３，２４が上記接結箇所α，βにて表裏交替している。従って図に示すＡ，Ｃの範囲では第１織組織が二重織物の表側層を構成し、Ｂの範囲では第２織組織が二重織物の表側層を構成する。尚こうした第１織組織と第２織組織の交替により多重織物の表側模様と裏側模様が構成される。
【００２９】
第１織組織の緯糸１１，１２及び経糸１３，１４には綿の無撚糸が用いられ（太さ：２０番手程度）、第２織組織の緯糸２１，２２及び経糸２３，２４には綿の撚糸（紡績糸）が用いられている（撚り係数：３．５、太さ：２０番手）。
【００３０】
次に実施形態１の多重織物の製造について説明する。
【００３１】
第１織組織用の緯糸及び経糸として、撚られた綿紡績糸（太さ：２０番手）に水溶性ビニロンフィラメントを合わせ、上記綿紡績糸の撚と反対方向に撚をかけて双糸としたものを用いる。なおこの双糸は、反対方向に撚をかけたことによって綿紡績糸の撚が解かれ、無撚りの綿糸（無撚糸本体）の周りを水溶性ビニロンフィラメントが巻き付いた形態となる。
【００３２】
第２織組織用の緯糸及び経糸としては通常の綿紡績糸（撚り係数：３．５、太さ：２０番手）を用いる。
【００３３】
そしてこの綿紡績糸と上記双糸を用い、任意の箇所で第１，第２織組織の経／緯糸を表裏交替して接結するようにしつつ、２層の平織組織を製織する。このとき、各経／緯糸に張力が加わるが、双糸は巻き付けた水溶性ビニロンフィラメントにより強くなっているので、上記張力に十分に抵抗することができ、糸切れを生じることが殆どない。また綿紡績糸（撚糸）も上記張力に十分に抵抗できて糸切れを生じることが殆どない。こうして織られた直後の二重織物は表裏面が全体的にスムースである。
【００３４】
次にこの製織後の二重織物を熱湯に通すと、双糸のうちの水溶性ビニロンフィラメントが溶けて除かれ、無撚りの綿糸（綿製の無撚糸）となる。こうして二重織物が出来上がる。
【００３５】
この二重織物は、無撚糸（緯糸１１，１２及び経糸１３，１４）による平織の第１織組織と、撚糸（緯糸２１，２２及び経糸２３，２４）による平織の第２織組織との２層からなり、所々で第１織組織と第２織組織が表裏交替している（図１）。
【００３６】
そして水溶性ビニロンフィラメントが除かれて現れた無撚糸（緯糸１１，１２、経糸１３，１４）は、ふっくらとした柔らかな風合いであり、また双糸の状態のときよりもやや伸びたようになる。このため接結箇所（α，β等）で挟まれた範囲では、無撚糸からなる第１織組織が、撚糸からなる第２織組織よりも余るようになって膨れる。つまり第２織組織は熱湯に通す前後でサイズに変化がないが、第１織組織は熱湯に挿通した後ではやや大きくなる（経／緯糸が長くなることで第１織組織部分が大きくなる）ので、この差によって接結箇所で囲まれた範囲の第１織組織が膨れるようになる。図１では、Ａ，Ｃの範囲で表側層が膨れ、Ｂの範囲で裏側層が膨れる。
【００３７】
二重織物の表裏面全体を見ると、第２織組織の部分よりも第１織組織の部分が膨れて凹凸感のあるものとなる。そしてこうして膨れた箇所はふっくらと柔らかい感触となり、無撚糸自体の柔らかさも加わって、二重織物全体として柔らかくふっくらとした風合いになる。
【００３８】
このように柔らかな風合いの二重織物はシーツといった寝具カバーやガーゼタオル、乳幼児用衣類等に好適である。
【００３９】
なお第１織組織の糸と第２織組織の糸の色を同じとしても、上記の様に第１織組織の部分が膨れることによる凹凸によって表裏反対色の模様が表れるが、さらに第１織組織の糸と第２織組織の糸の色を変えて、デザイン性を向上させるようにしても良い。
【００４０】
＜実施形態２＞
図２は、本考案の実施形態２に係る多重織物の一部を表す断面図である。なお図において、糸の配置を分かり易くするため、実線、破線、一点鎖線、二点鎖線を用いて緯糸を表している。また図１と同一の符号を付した箇所は、図１の例と同じ構成部分である。
【００４１】
上記実施形態１では第１織組織と第２織組織の２層のみであったが、本実施形態２の多重織物では、第１織組織と第２織組織の間に嵩高糸３１を緯方向に挿通したものとなっている。
【００４２】
嵩高糸３１は織り込まれずに挿通されただけであるが、第１織組織の緯／経糸１１，１２，１３，１４と第２織組織の緯／経糸２１，２２，２３，２４が表裏交替することによって、その接結箇所（α，β等）で嵩高糸３１が第１，第２織組織に留められ、保持されるようになる。
【００４３】
上記嵩高糸３１は、ポリエステルフィラメント糸の仮撚り加工糸であり、太さは３３３dtex（３００ｄ）である。また嵩高糸３１は、第２織組織の緯糸２１，２２の６本に対して１本のピッチで挿入されている。
【００４４】
この嵩高糸３１はふんわりと嵩高いので、これを第１，第２織組織の間に挿通した実施形態２の多重織物は、全体として軽くふんわりとした風合いの、比較的厚みのある織物となる。また保温性にも優れたものとなる。加えてこの多重織物の表裏面は、無撚糸からなる膨れた第１織組織の部分が所々に表れており、全体としてふっくらと柔らかい感触である。
【００４５】
なお、嵩高糸３１を挿通した多重織物の箇所は、嵩高糸３１によって収縮したようになることから、嵩高糸３１を挿通するピッチを変化させることで、部分部分によって収縮の程度を変化させることができる。従って、嵩高糸３１の挿通ピッチの変化で、柄に変化を与えることができる。
【００４６】
このように嵩高で柔らかな風合いの多重織物は、夏用肌布団や厚手のバスタオル等として好適である。
【００４７】
＜他の実施形態＞
上記実施形態１，２では、織物層として２つの織組織（第１，第２織組織）を備えたものを示したが、３以上の織組織で構成しても良い。
【００４８】
また実施形態１，２では第１，第２織組織を平織としたが、綾織や朱子織など、他の織組織であっても良い。
【００４９】
実施形態１，２では第１織組織の緯糸及び経糸の両方に無撚糸を用いたが、緯糸または経糸の一方に無撚糸を用い、他方に通常の撚糸を用いても良い。この場合は、緯／経糸の両方に無撚糸を用いた場合よりも、柔らかさや風合いが少し劣るものとなるが、織物全体感としては十分に柔らかな風合いが発揮される。
【００５０】
以上、例を挙げて本考案をより具体的に説明したが、本考案はもとより上記例によって制限を受けるものではなく、前記の趣旨に適合し得る範囲で適当に変更を加えて実施することも勿論可能であり、それらはいずれも本考案の技術的範囲に包含される。
【符号の説明】
【００５１】
１１，１２  第１の織組織の緯糸
１３，１４  第１の織組織の経糸
２１，２２  第２の織組織の緯糸
２３，２４  第２の織組織の経糸
３１  嵩高糸
【図１】
0003154736.tif 000003
【図２】
0003154736.tif 000004